(57)【要約】      （修正有）【課題】操作入力方向または入力位置が異なる複合スイッチを一体成型可能な操作機構を提供する。【解決手段】回動及び／または往復動する丸形スイッチ操作部１０及び角形スイッチ操作部２０相互間を略Ｓ字状に弾性連結する相互接続部３０は、主に、丸形スイッチ操作部１０及び角形スイッチ操作部２０相互間方向の変位を許容し、また、相互接続部３０の略中央に形成した丸形スイッチ操作部１０及び角形スイッチ操作部２０相互間を結ぶ相互干渉部３３は、丸形スイッチ操作部１０及び角形スイッチ操作部２０相互間方向に対して直線方向の変位を自在としたものであるから、押圧力を付与する力の方向または押圧力を付与する位置が異なる回動及び／または往復動する２個以上の丸形スイッチ操作部１０及び角形スイッチ操作部２０からスイッチの操作入力を行ったとき、対象の押圧部１２または押圧部２２に接続されたスイッチのみの動作を行わせることができる。【選択図】図１
2011049057.tif 000002
【特許請求の範囲】
【請求項１】
操作入力として押圧力を付与する力の方向または押圧力を付与する位置が異なる２個以上のスイッチ操作部と、
前記スイッチ操作部相互間を略Ｓ字状に弾性連結する相互接続部と、
前記相互接続部の略中央に形成した前記スイッチ操作部相互間を結ぶ直線方向に対する直角方向の移動を自在とした相互干渉部と
を具備することを特徴とする一体成型してなる複合スイッチの操作機構。
【請求項２】
更に、前記スイッチ操作部の一部を露出する意匠パネルを具備することを特徴とする請求項１に記載の一体成型してなる複合スイッチの操作機構。
【請求項３】
前記スイッチ操作部の少なくとも１個は往復動するものであり、前記スイッチ操作部の周囲には、往復動を許容する複数のリブを形成したことを特徴とする請求項１に記載の一体成型してなる複合スイッチの操作機構。
【請求項４】
前記スイッチ操作部の少なくとも１個は往復動するものであり、前記スイッチ操作部の周囲には、回動を許容する回動軸を形成したことを特徴とする請求項１に記載の一体成型してなる複合スイッチの操作機構。
【請求項５】
前記スイッチ操作部は、その周囲に、前記意匠パネルの裏面で規制する往復動を許容する複数のリブを形成したことを特徴とする請求項３に記載の一体成型してなる複合スイッチの操作機構。
【請求項６】
前記スイッチ操作部は、その周囲に、前記意匠パネルの裏面で規制する回動を許容する回動軸を形成したことを特徴とする請求項４に記載の一体成型してなる複合スイッチの操作機構。
【請求項７】
更に、前記スイッチ操作部相互間を接続する相互接続部には、前記相互接続部の相互間を弾性連結する連結部を具備することを特徴とする請求項１乃至請求項６の何れか１つに記載の一体成型してなる複合スイッチの操作機構。
【請求項８】
前記相互接続部に形成した相互干渉部は、略Ｓ字形または略Ｕ字形またはその繰り返しによるジグザグとしたことを特徴とする請求項１乃至請求項７の何れか１つに記載の一体成型してなる複合スイッチの操作機構。
【請求項９】
前記スイッチ操作部は、各スイッチ操作部の中心を、少なくとも単一の直線上に配置したことを特徴とする請求項１乃至請求項８の何れか１つに記載の一体成型してなる複合スイッチの操作機構。
【発明の詳細な説明】
【技術分野】
【０００１】
本発明は、複数のスイッチ入力を許容する複合スイッチに関するもので、特に、合成樹脂金型で可動部分を一体成型してなる複合スイッチの操作機構に関するものである。
【背景技術】
【０００２】
一体化構造の押しボタンスイッチとしては、スイッチノブ２１（番号は特許文献１中の部品番号を示す）を、ヒンジ２１２を介してランナー幹部２２によって一体的なスイッチ部材２０として構成し、スイッチケース１０内面側に複数のリブ１２を設け、これらリブ１２に形成された溝部１２１に、ランナー幹部２２を係合させてスイッチ部材２０を各スイッチノブ２１の近傍で特定方向について位置決めし、また、スイッチケース１０に設けられた位置決めピン１３をランナー幹部２２端部の位置決めピン穴２３に嵌め込み、スイッチ部材２０を前記特定方向に直交する方向に位置決めする。更に、ランナー幹部２２に基板３０を当接させて、スイッチ部材２０を前記特定方向及びその特定方向に直交する方向及びそれらに直交する方向について位置決めした構造を特許文献１は開示している。
【０００３】
また、特許文献２の押釦スイッチでは、組立作業を容易なものとするため、複数のスイッチノブ２１（番号は特許文献１中の従来例の部品番号を示す）がランナー部２５で連結され、スイッチ部材２０として一体的に構成されている。このスイッチ部材２０は、フランジ部２４に設けられた孔部２４１及び切欠き部２４２が、スイッチパネル５０の内面側に設けられたピン５１及び突起部５２にそれぞれ嵌め込まれることにより、スイッチパネル５０に取り付けられる。このようにしてスイッチ部材２０がスイッチパネル５０に取り付けられたとき、各スイッチノブ２１は、スイッチパネル５０の各スイッチノブ穴１１に対応する位置に位置決めされるようになっている技術を開示している。
【先行技術文献】
【特許文献】
【０００４】
【特許文献１】特開２０００−１３８０１７
【特許文献２】特開平８−５５５３７
【発明の概要】
【発明が解決しようとする課題】
【０００５】
このように、特許文献１及び特許文献２は、何れもスイッチ操作を入力する部分が弾性変形する相互接続部を経て支持部分に一体化されており、スイッチ操作を入力する部分が変化する距離を相互接続部の弾性変形によって対応している。したがって、スイッチ操作部分は相互接続部を経て支持部分に一体化されているから、複数の操作入力に対するスイッチ操作部分の相互接続部は、相互接続部と１対１の関係にあり、操作入力の入力方向または入力位置が異なる複数のスイッチからなる複合スイッチを一体成型で成型することは困難であった。
【０００６】
そこで、本発明は、操作入力方向または入力位置が異なる複合スイッチを合成樹脂成型が可能な一体成型してなる複合スイッチの操作機構の提供を課題とするものである。
【課題を解決するための手段】
【０００７】
請求項１の発明にかかる一体成型してなる複合スイッチの操作機構は、操作入力として押圧力を付与する力の方向または押圧力を付与する位置が異なる２個以上のスイッチ操作部相互間を、略Ｓ字状に弾性連結する相互接続部と、前記相互接続部の略中央に形成した前記スイッチ操作部相互間を結ぶ直線方向に対して直角方向の移動を自在とした相互干渉部を具備するものである。
ここで、２個以上のスイッチ操作部は、操作入力として押圧力を付与する押釦スイッチ、スライドスイッチ等のスイッチの操作部、押圧力を付与する位置が異なる回動力を付与するトグルスイッチ等の操作部であり、外力を得て接点の開閉を行う他のスイッチとすることもできる。
また、２個以上のスイッチ操作部相互間を略Ｓ字状（略Ｚ字状、略己字状を含む）に弾性連結する相互接続部は、少なくともスイッチ操作部相互間を結ぶ直線上に対して、その直線方向の移動を許容する形状を呈し、そして、望ましくは、前記直線方向に対する直角方向の移動を許容する形状を呈するものであればよい。
そして、前記相互干渉部は、前記相互接続部の略中央に形成し、前記スイッチ操作部相互間を結ぶ直線方向に対して直角方向の移動を自在とするものであればよい。
なお、本発明の一体成型してなる複合スイッチの操作機構とは、スイッチ自体の接点機構を有せず、前記スイッチ自体の操作入力を人から前記スイッチ自体の操作部に力を伝達するものであり、意匠パネルを含んで呼ぶこともある。
【０００８】
請求項２の発明にかかる一体成型してなる複合スイッチの操作機構は、請求項１の構成に対して、更に、前記スイッチ操作部の一部を露出する意匠パネルを具備するものである。
ここで、前記一体成型してなる複合スイッチの操作機構は、意匠パネル側に取り付けることも、本体のケース側に設けることもできるが、スイッチ機構との接合のために、組み付け易いスイッチ操作部の一部を露出する意匠パネル側の裏面に配設する構造であればよい。
【０００９】
請求項３の発明にかかる一体成型してなる複合スイッチの操作機構は、前記スイッチ操作部の少なくとも１個は往復動するものであり、前記スイッチ操作部の周囲に往復動を許容するリブを形成したものである。
ここで、前記スイッチ操作部の周囲のリブは、往復動を許容するものでよいことから、意匠パネルまたは本体のケース側との間で、往復動のみが可能な結合関係が維持できる構造であればよい。
【００１０】
請求項４の発明にかかる一体成型してなる複合スイッチの操作機構は、前記スイッチ操作部の少なくとも１個は往復動するものであり、前記スイッチ操作部の周囲に回動を許容する回動軸を形成したものである。
ここで、前記スイッチ操作部の周囲の回動軸は、回動を許容するものでよいことから、意匠パネルまたは本体のケース側との軸支受間で、回動のみが可能な結合関係が維持できる構造であればよい。
【００１１】
請求項５の発明にかかる一体成型してなる複合スイッチの操作機構の前記スイッチ操作部は、その周囲に、前記意匠パネルの裏面で規制する往復動を許容する複数のリブを形成したものである。
ここで、前記スイッチ操作部の周囲の複数のリブは、往復動を許容するものでよいことから、意匠パネル側との間で、往復動のみが可能な結合関係がある構造であればよい。
【００１２】
請求項６の発明にかかる一体成型してなる複合スイッチの操作機構の前記スイッチ操作部は、その周囲に、前記意匠パネルの裏面で規制する回動を許容する回動軸を形成したものである。
ここで、前記スイッチ操作部の周囲の回動軸は、回動を許容するものでよいことから、意匠パネル側との軸支受間で、回動のみが可能な結合関係がある構造であればよい。
【００１３】
請求項７の発明にかかる一体成型してなる複合スイッチの操作機構は、請求項１の構成に対して、更に、前記スイッチ操作部相互間を接続する相互接続部に、前記相互接続部相互間を弾性連結する連結部を具備するものである。
ここで、前記連結部は、前記相互接続部相互間を弾性連結するものであり、前記スイッチ操作部相互間に三次元的な変化が伝達されない構造であればよい。
【００１４】
請求項８の発明にかかる一体成型してなる複合スイッチの操作機構の前記相互接続部に形成した相互干渉部は、略Ｓ字形または略Ｕ字形、またはその繰り返しによるジグザグとしたものである
ここで、前記相互干渉部は、前記スイッチ操作部相互間を弾性連結するものであり、前記スイッチ操作部相互間に、前記スイッチ操作部相互間を結ぶ直線方向に対して、少なくとも、直角方向の移動を自在とするものであればよい。勿論、好ましくは、三次元的な変化が伝達されない構造であればよい。
【００１５】
請求項９の発明にかかる一体成型してなる複合スイッチの操作機構の前記スイッチ操作部は、各スイッチ操作部の中心を少なくとも単一の直線上に配置したものである。
ここで、各スイッチ操作部の中心を少なくとも単一の直線上に配置したものは、１列または複数列形成できる構造であればよい。
【発明の効果】
【００１６】
請求項１の一体成型してなる複合スイッチの操作機構は、スイッチ操作部相互間を略Ｓ字状に弾性連結する相互接続部は、主にスイッチ操作部相互間方向の変位を許容し、また、前記相互接続部の略中央に形成した前記スイッチ操作部相互間を結ぶ相互干渉部は、スイッチ操作部相互間に対して並行する直線方向の変位を自在としたものであるから、押圧力を付与する力の方向または押圧力を付与する位置が異なる２個以上のスイッチ操作部からスイッチの操作入力を行ったとき、対象のスイッチ操作部に接続されたスイッチのみの動作を行わせることができる。また、全体を合成樹脂の射出成形で成型してもスライドコア等の複雑な金型を製作することなく製造でき、製造単価を廉価にすることができる。
したがって、操作入力方向または入力位置が異なる複合スイッチを一体に成型可能な複合スイッチの操作機構とすることができる。
【００１７】
請求項２の一体成型してなる複合スイッチの操作機構は、更に、前記スイッチ操作部の一部を露出する意匠パネルを具備するものであるから、請求項１に記載の効果に加えて、意匠パネルと対にして一体成型してなる複合スイッチの操作機構を組み付けることにより、スイッチ操作部からスイッチ機構の操作入力の機械的エネルギの伝達の調整を容易に行うことができる。
【００１８】
請求項３の一体成型してなる複合スイッチの操作機構は、前記スイッチ操作部の少なくとも１個は往復動するものであり、前記スイッチ操作部の周囲に、往復動を許容する複数のリブを形成したものであるから、請求項１に記載の効果に加えて、前記スイッチ操作部の周囲の複数のリブが往復動のみを許容することから、意匠パネルまたは本体のケース側との間で、往復動のみを規制でき、他の構造を使用することなく、複合スイッチの操作機構を構成できる。
【００１９】
請求項４の一体成型してなる複合スイッチの操作機構は、前記スイッチ操作部の少なくとも１個は往復動するものであり、前記スイッチ操作部の周囲には、回動を許容する回動軸を形成したものであるから、請求項１に記載の効果に加えて、前記スイッチ操作部の周囲の回動軸が回動のみを許容することから、意匠パネルまたは本体のケース側との間で、回動のみを規制でき、他の構造を使用することなく、複合スイッチの操作機構を構成できる。
【００２０】
請求項５の一体成型してなる複合スイッチの操作機構の前記スイッチ操作部は、その周囲に、前記意匠パネルの裏面で規制する往復動を許容する複数のリブを形成したものであるから、請求項３に記載の効果に加えて、前記意匠パネルと前記複合スイッチの操作機構との対が組み立てられ、前記スイッチ操作部からスイッチ機構の操作入力の機械的エネルギの伝達の調整を容易に行うことができる。
【００２１】
請求項６の一体成型してなる複合スイッチの操作機構の前記スイッチ操作部は、その周囲に、前記意匠パネルの裏面で規制する回動を許容する回動軸を形成したものであるから、請求項４に記載の効果に加えて、前記意匠パネルと前記複合スイッチの操作機構との対が組み立てられ、前記スイッチ操作部からスイッチ機構の操作入力の機械的エネルギの伝達の調整を容易に行うことができる。
【００２２】
請求項７の一体成型してなる複合スイッチの操作機構の前記スイッチ操作部は、更に、前記スイッチ操作部相互間を接続する相互接続部に、前記相互接続部の相互間を弾性連結する連結部を具備するものであるから、請求項１乃至請求項６の何れか１つに記載の効果に加えて、操作入力として押圧力を付与する力の方向または押圧力を付与する位置が異なる回動及び／または往復動するスイッチ操作部を必要に応じて任意数形成することができる。
【００２３】
請求項８の一体成型してなる複合スイッチの操作機構の前記相互接続部に形成した相互干渉部は、略Ｓ字形または略Ｕ字形、またはその繰り返しによるジグザグとしたものであるから、請求項１乃至請求項７の何れか１つに記載の効果に加えて、前記スイッチ操作部相互間を弾性連結し、前記スイッチ操作部相互間に歪を付与することなく、弾性変形でき、長寿命とすることができる。
【００２４】
請求項９の一体成型してなる複合スイッチの操作機構の前記スイッチ操作部は、各スイッチ操作部の中心を、少なくとも単一の直線上に配置したものであるから、請求項１乃至請求項８の何れか１つに記載の効果に加えて、１列または複数列に整然と配列させて設置することができる。
【図面の簡単な説明】
【００２５】
【図１】図１は本発明の実施の形態１にかかる一体成型してなる複合スイッチの操作機構を示す斜視図である。
【図２】図２は本発明の実施の形態１にかかる一体成型してなる複合スイッチの操作機構の意匠パネルに対する組み付け完了状態を示す正面図（ａ）、側面図（ｂ）、背面図（ｃ）である。
【図３】図３は図２の切断線Ａ−ＡによるＡ−Ａ断面図（ａ）、図２の切断線Ｂ−ＢによるＢ−Ｂ断面図（ｂ）である。
【図４】図４は本発明の実施の形態２にかかる一体成型してなる複合スイッチの操作機構を示す斜視図である。
【図５】図５は本発明の実施の形態３にかかる一体成型してなる複合スイッチの操作機構を示す斜視図である。
【図６】図６は本発明の実施の形態４にかかる一体成型してなる複合スイッチの操作機構を示す斜視図である。
【図７】図７は本発明の実施の形態５にかかる一体成型してなる複合スイッチの操作機構を示す斜視図である。
【発明を実施するための形態】
【００２６】
以下、本発明の実施の形態について、図面に基づいて説明する。なお、実施の形態において、図示の同一記号及び同一符号は、同一または相当する機能部分であるから、ここではその重複する説明を省略する。
【００２７】
［実施の形態１］
本実施の形態１の一体成型してなる複合スイッチの操作機構の図１乃至図３に示す事例で説明する。
操作入力として押圧力を付与する丸形スイッチ操作部１０と、操作入力としてトグルスイッチの機能を持つ図１の左右方向から押圧力を付与する角形スイッチ操作部２０とで操作部分が形成されている。丸形スイッチ操作部１０は、所定の厚みで有底円筒に成型されており、その周囲には、３個のリブ１１が形成されている。３個のリブ１１は丸形スイッチ操作部１０の中心から放射状に少なくとも１８０度以上の範囲に配設するのが望ましい。３個のリブ１１は他の部分と肉厚がほぼ同じである略直方体形状となっており、丸形スイッチ操作部１０の円筒の中心線に並行する配設となっている。また、丸形スイッチ操作部１０の内側には、補強のための肉厚部１３が形成され、押圧部１２の機械的強度を上げている。
【００２８】
角形スイッチ操作部２０は、丸形スイッチ操作部１０と同様、所定の厚みで成型されており、図１の幅方向の中央の上部及び下部には、所定の太さ及び長さの回動軸２１が直線上に形成されている。したがって、角形スイッチ操作部２０は、回動軸２１を中心に回動自在になっている。また、角形スイッチ操作部２０の内側には、補強のための肉厚部２３が形成され、押圧部２２の機械的強度を上げている。
【００２９】
意匠パネル４０は、丸形スイッチ操作部１０の押圧部１２及び角形スイッチ操作部２０の押圧部２２の露出部分以外の本実施の形態１の一体成型してなる複合スイッチの操作機構を覆うものであり、図３（ｂ）に示すように、側面４６または意匠面４７の裏面４５には、押釦スイッチＳＷ／Ｓを配設した基板７０または図示しないケース（複合スイッチケース）側が用意されており、図示しない係合手段によって、両者が一体化するようになっている。即ち、一体化した状態では、図２に示すように、意匠パネル４０の意匠面４７は、押圧部１２及び押圧部２２が露出している。
【００３０】
意匠パネル４０の意匠面４７の裏面４５には、丸形スイッチ操作部１０の３個のリブ１１を摺動自在とする断面略コ字状の３個のスライド部４１が形成され、かつ、意匠パネル４０の意匠面４７に押圧部１２が露出するように、嵌合孔４２が形成されている。
また、裏面４５には、角形スイッチ操作部２０の２個の回動軸２１を回動自在とする略逆Ω字状の軸受４３が形成され、そして、意匠パネル４０の意匠面４７に押圧部２２が露出するように、嵌合孔４４が形成されている。
【００３１】
意匠パネル４０の裏面４５の断面略コ字状の３個のスライド部４１には、丸形スイッチ操作部１０の３個のリブ１１が挿入され、意匠パネル４０の意匠面４７に露出する押圧部１２の押圧によって摺動自在になっており、押圧部１２の中心軸線に沿って往復動自在になっている。
また、意匠面の裏面４５には、略逆Ω字状の軸受４３に角形スイッチ操作部２０の２個の回動軸２１が回動自在に装着され、かつ、意匠パネル４０の嵌合孔４４に露出する押圧部２２が挿入されており、２個の回動軸２１を軸として、角形スイッチ操作部２０の右側または左側を押圧することにより、回動軸２１線に沿ってシーソー動作が自在になっている。
【００３２】
そして、図３（ａ）に示すように、角形スイッチ操作部２０の押圧部２２の内側に、意匠パネル４０の裏面４５の右側に押釦スイッチＳＷ／Ｒを配設し、また、左側に押釦スイッチＳＷ／Ｌを配設した基板７０が図示しないケース（複合スイッチケース）に取付けられている。
したがって、角形スイッチ操作部２０の右側または左側を押圧することにより、回動軸２１線に沿ってシーソー動作が行われ、それによって右側の押釦スイッチＳＷ／Ｒまたは左側の押釦スイッチＳＷ／Ｌが動作する。
【００３３】
丸形スイッチ操作部１０と角形スイッチ操作部２０との間には、略Ｓ字状、見方によっては略己字状、Ｚ字状に弾性連結する相互接続部３０が形成されている。詳しくは、弾性連結する相互接続部３０は、丸形スイッチ操作部１０の開口側に接続した接続端部３１及び接続端部３１から略Ｕ字状に形成した横Ｕ字部３２、同様に、角形スイッチ操作部２０の開口側に接続した接続端部３５及び接続端部３５から略Ｕ字状に形成した横Ｕ字部３４、並びに横Ｕ字部３２と横Ｕ字部３４とを接続する相互干渉部３３によって構成されている。
なお、相互干渉部３３は、少なくとも、弾性連結する相互接続部３０の略中央に形成したスイッチ操作部１０と角形スイッチ操作部２０との相互間を結ぶ直線方向に対して直角方向の移動を自在とするものである。
また、相互接続部３０の略Ｓ字状とは、見方によっては２個のＵ字状が結合した形状であるともいえるが、本発明が実施できる範囲の弾性連結する略己字状、Ｚ字状の形状を意味するものとする。
【００３４】
丸形スイッチ操作部１０と角形スイッチ操作部２０との間を弾性連結する相互接続部３０は、丸形スイッチ操作部１０と角形スイッチ操作部２０との中心を結ぶ直線の方向の動きを干渉する機能を有している。また、丸形スイッチ操作部１０の押圧部１２の押圧方向の押圧力によって、その丸形スイッチ操作部１０の押圧力に並行する変位が横Ｕ字部３２及び相互干渉部３３及び横Ｕ字部３４に加わる。しかし、その変位の多くは、横Ｕ字部３２及び相互干渉部３３の弾性変化となり、横Ｕ字部３４にはその変位が殆ど現れない。即ち、相互干渉部３３は、略Ｕ字状に形成し、その開口端部を横Ｕ字部３２と横Ｕ字部３４に接続しているから、当該略Ｕ字状の開口端部の変形による吸収によって、丸形スイッチ操作部１０の変位は横Ｕ字部３２及び相互干渉部３３の弾性変化となり、横Ｕ字部３４にはその変位が殆ど現れない。
【００３５】
また、角形スイッチ操作部２０はトグルスイッチの機能を有するように構成しており、角形スイッチ操作部２０の図１の左端または右端を押圧することにより、その背後に配設された押釦スイッチを押圧し、何れか側の押釦スイッチをオンまたはオフさせるものである。このとき、接続端部３５には角形スイッチ操作部２０の回動力が伝わるが、角形スイッチ操作部２０の変位は横Ｕ字部３４及び相互干渉部３３の弾性変化となり、横Ｕ字部３２にはその変位が殆ど現れない。
【００３６】
このように、本実施の形態の一体成型してなる複合スイッチの操作機構は、合成樹脂によって一体に成型されている。特に、操作入力として押圧力を付与する力の方向または押圧力を付与する位置が異なる回動及び／または往復動する丸形スイッチ操作部１０及び角形スイッチ操作部２０と、回動及び／または往復動する丸形スイッチ操作部１０及び角形スイッチ操作部２０相互間を、略Ｓ字状に合成樹脂の弾性で連結する相互接続部３０と、相互接続部３０の略中央に形成した丸形スイッチ操作部１０及び角形スイッチ操作部２０からなるスイッチ操作部相互間を結ぶ直線方向に対して直角方向の移動を自在とした相互干渉部３３を具備することから、その成型金型にスライドコア等を使用することなく射出成型でき、成型コストを廉価にすることができる。
【００３７】
また、回動及び／または往復動する丸形スイッチ操作部１０及び角形スイッチ操作部２０相互間を略Ｓ字状に弾性連結する相互接続部３０は、主に、丸形スイッチ操作部１０及び角形スイッチ操作部２０相互間方向の変位を許容し、また、相互接続部３０の略中央に形成した丸形スイッチ操作部１０及び角形スイッチ操作部２０相互間を結ぶ相互干渉部３３は、丸形スイッチ操作部１０及び角形スイッチ操作部２０相互間方向に対して直線方向の変位を自在としたものであるから、押圧力を付与する力の方向または押圧力を付与する位置が異なる回動及び／または往復動する丸形スイッチ操作部１０及び角形スイッチ操作部２０からなるスイッチ操作部からスイッチの操作入力を行ったとき、対象の押圧部１２または押圧部２２に接続されたスイッチのみの動作を行わせることができる。したがって、操作入力方向または入力位置が異なる複合スイッチを一体に成型可能な複合スイッチの操作機構とすることができる。
【００３８】
［実施の形態２］
図４は実施の形態２にかかる一体に成型可能な複合スイッチの操作機構である。実施の形態１では、押圧方向に操作する押釦スイッチの機能を有する丸形スイッチ操作部１０、及びシーソー操作するトグルスイッチの機能を有する角形スイッチ操作部２０を有している。しかし、本実施の形態では、２個の押圧方向に操作する押釦スイッチの機能を有する丸形スイッチ操作部１０でスイッチ操作部を構成している。
【００３９】
操作入力として押圧力を付与する２個の丸形スイッチ操作部１０ａ，１０ｂで操作部分が形成されている。丸形スイッチ操作部１０ａ，１０ｂは、所定の厚みで成型されており、その周囲には、各３個のリブ１１ａ，１１ｂが形成されている。各３個のリブ１１ａ，１１ｂは丸形スイッチ操作部１０ａ，１０ｂの各中心から放射状に１８０度以上の範囲に配設するのが望ましい。各３個のリブ１１ａ，１１ｂは他の部分と肉厚がほぼ同じである略直方体形状となっており、丸形スイッチ操作部１０ａ，１０ｂの中心線に並行する配設となっている。また、丸形スイッチ操作部１０ａ，１０ｂの内側には、補強のための肉厚部１３ａ，１３ｂが形成され、両押圧部１２ａ，１２ｂの機械的強度を上げている。
【００４０】
図示しない意匠パネル４０（図１参照）は、実施の形態１に示す意匠パネル４０（図１参照）の裏面４５の断面略コ字状の３個のスライド部４１が上下対象に設けられ、丸形スイッチ操作部１０ａ，１０ｂの各３個のリブ１１ａ，１１ｂが挿入され、意匠パネル４０の意匠面４７に露出する押圧部１２ａ，１２ｂの押圧によって、丸形スイッチ操作部１０ａ，１０ｂの円筒状の中心軸方向に摺動自在になっており、押圧部１２の中心軸線に沿って往復動動作が自在になっている。
【００４１】
丸形スイッチ操作部１０ａ，１０ｂ相互間を弾性連結する相互接続部３０は、丸形スイッチ操作部１０ａ，１０ｂ相互間を結ぶ直線の方向の動きを干渉する機能を有している。また、丸形スイッチ操作部１０ａの円筒状の中心軸方向の押圧力によって、その丸形スイッチ操作部１０ａの押圧力に並行する変位が横Ｕ字部３２及び相互干渉部３３及び横Ｕ字部３４に加わる。しかし、その変位は横Ｕ字部３２及び相互干渉部３３の開口の弾性変化となり、横Ｕ字部３４にはその変位が殆ど現れない。即ち、相互干渉部３３は、略Ｕ字状に形成し、その開口端部を横Ｕ字部３２と横Ｕ字部３４に接続しているから、当該略Ｕ字状の開口端部による吸収によって、丸形スイッチ操作部１０ａの変位は横Ｕ字部３２及び相互干渉部３３の弾性変化となり、横Ｕ字部３４にはその変位が殆ど現れない。
逆に、丸形スイッチ操作部１０ｂ側から見ても、接続端部３５には丸形スイッチ操作部１０ｂの押圧力が伝わるが、丸形スイッチ操作部１０ｂの変位は横Ｕ字部３４及び相互干渉部３３の弾性変化となり、横Ｕ字部３２にはその変位が殆ど現れない。
【００４２】
［実施の形態３］
図５は実施の形態３にかかる一体に成型可能な複合スイッチの操作機構である。実施の形態１では、押圧方向に操作する押釦スイッチの機能を有する丸形スイッチ操作部１０、及びシーソー操作するトグルスイッチの機能を有する角形スイッチ操作部２０からなるスイッチ操作部を有している。しかし、本実施の形態では、２個のシーソー操作するトグルスイッチの機能を有する角形スイッチ操作部２０でスイッチ操作部を構成することもできる。
【００４３】
操作入力としてシーソー操作するトグルスイッチの機能を有する角形スイッチ操作部２０ａ，２０ｂで操作部分が形成されている。角形スイッチ操作部２０ａ，２０ｂは、所定の厚みで成型されており、その中心位置の上下には、各２個の回動軸２１ａ，２１ｂが形成されている。各２個の回動軸２１ａ，２１ｂは角形スイッチ操作部２０ａ，２０ｂの回動中心の中心線上に配設するのが望ましい。各２個の回動軸２１ａ，２１ｂは円柱状（正確には一部で接続端部３１または接続端部３５と接合され一体化されている。）で所定の機械的強度が維持されるように形成されている。また、角形スイッチ操作部２０ａ，２０ｂの内側には、補強のための肉厚部２３ａ，２３ｂが形成され、両押圧部２２ａ，２２ｂの機械的強度を上げている。
【００４４】
図示しない意匠パネル４０は、実施の形態１に示す意匠パネル４０の下側半分を上下の中央線対称とした構造を有するものである。
実施の形態１に示す意匠パネル４０の裏面４５の略逆Ω字状の軸受４３に角形スイッチ操作部２０ａ，２０ｂの各２個の回動軸２１ａ，２１ｂが回動自在に装着され、かつ、意匠パネル４０の嵌合孔４４に露出する押圧部２２ａ，２２ｂが挿入され、２個の回動軸２１ａ，２１ｂを軸として、角形スイッチ操作部２０ａ，２０ｂの右側または左側を押圧することにより、回動軸２１ａ，２１ｂ線に沿ってシーソー動作が自在になっている。
【００４５】
角形スイッチ操作部２０ａ，２０ｂ相互間を弾性連結する相互接続部３０は、角形スイッチ操作部２０ａ，２０ｂ相互間を結ぶ直線の方向の動きを干渉する機能を有している。また、角形スイッチ操作部２０ａの押圧力（結果は回動力となる）によって、その角形スイッチ操作部２０ａの押圧力として得た回転力に伴う変位が横Ｕ字部３２及び相互干渉部３３及び横Ｕ字部３４に加わる。しかし、その変位は横Ｕ字部３２及び相互干渉部３３の弾性変化となり、横Ｕ字部３４にはその変位が殆ど現れない。即ち、相互干渉部３３は、略Ｕ字状に形成し、その開口端部を横Ｕ字部３２と横Ｕ字部３４に接続しているから、当該略Ｕ字状の開口端部による吸収によって、角形スイッチ操作部２０の変位は横Ｕ字部３２及び相互干渉部３３の弾性変化となり、横Ｕ字部３４にはその変位が殆ど現れない。
逆に、角形スイッチ操作部２０ｂ側から見ても、接続端部３５には角形スイッチ操作部２０ｂの回転力が伝わるが、角形スイッチ操作部２０ｂの変位は横Ｕ字部３４及び相互干渉部３３の弾性変化となり、横Ｕ字部３２にはその変位が殆ど現れない。
【００４６】
［実施の形態４］
本実施の形態４の一体成型してなる複合スイッチの操作機構を、図６に示す事例で説明する。
操作入力として押圧力を付与する２個の丸形スイッチ操作部１０Ａ，１０Ｂと、操作入力としてトグルスイッチとして、図６の左右の押圧力を付与する２個の角形スイッチ操作部２０Ａ，２０Ｂとで操作部分が形成されている。丸形スイッチ操作部１０Ａ，１０Ｂ及び角形スイッチ操作部２０Ａ，２０Ｂは、個々には実施の形態１と同様に形成されているので、その説明を省略する。
【００４７】
意匠パネル４０は、押圧部１２Ａ，１２Ｂ及び押圧部２２Ａ，２２Ｂの露出部分以外の一体成型してなる複合スイッチの操作機構を覆うものであり、側面４６または意匠面４７の裏面４５には、図示しない押釦スイッチを配設した基板または複合スイッチケース側が用意されており、図示しない係合手段によって、両者が一体化するようになっている。即ち、図６に示すように、意匠パネル４０の意匠面側には、押圧部１２Ａ，１２Ｂ及び押圧部２２Ａ，２２Ｂのみが露出している。
【００４８】
意匠パネル４０の裏面４５には、各丸形スイッチ操作部１０Ａ，１０Ｂの各３個のリブ１１Ａ，１１Ｂを摺動自在とする断面略コ字状の各３個のスライド部４１Ａ，４１Ｂが形成され、かつ、意匠パネル４０の意匠面側に押圧部１２Ａ，１２Ｂが露出するように、嵌合孔４２Ａ，４２Ｂが形成されている。
また、裏面４５には、各角形スイッチ操作部２０Ａ，２０Ｂの各２個の回動軸２１Ａ，２１Ｂを回動自在とする略逆Ω字状の軸受４３Ａ，４３Ｂが形成され、かつ、意匠パネル４０の意匠面側に押圧部２２Ａ，２２Ｂが露出するように、嵌合孔４４Ａ，４４Ｂが形成されている。
【００４９】
意匠パネル４０の裏面４５の断面略コ字状の各３個のスライド部４１Ａ，４１Ｂには、各丸形スイッチ操作部１０Ａ，１０Ｂの３個のリブ１１Ａ，１１Ｂが挿入され、意匠パネル４０の意匠面側に露出する押圧部１２Ａ，１２Ｂの押圧によって摺動自在になっており、押圧部１２Ａ，１２Ｂの中心軸線に沿って往復動動作が自在になっている。
また、意匠面の裏面４５には、略逆Ω字状の各軸受４３Ａ，４３Ｂに各角形スイッチ操作部２０Ａ，２０Ｂの２個の回動軸２１Ａ，２１Ｂが回動自在に外力で押し付けて装着され、かつ、意匠パネル４０の嵌合孔４４Ａ，４４Ｂに露出する押圧部２２Ａ，２２Ｂが挿入されており、２個の回動軸２１Ａ，２１Ｂを軸として、各角形スイッチ操作部２０Ａ，２０Ｂの右側または左側を押圧することにより、回動軸２１Ａ，２１Ｂ線に沿ってシーソー動作が自在になっている。
【００５０】
丸形スイッチ操作部１０Ａ，１０Ｂと角形スイッチ操作部２０Ａ，２０Ｂとの間には、略Ｓ字状或いは略己字状、Ｚ字状に弾性連結する相互接続部３０Ａ，３０Ｂが形成されている。弾性連結する相互接続部３０Ａ，３０Ｂは、丸形スイッチ操作部１０Ａ，１０Ｂの開口側に接続した接続端部３１Ａ，３１Ｂ及び接続端部３１Ａ，３１Ｂから略Ｕ字状に形成した横Ｕ字部３２Ａ，３２Ｂ、同様に、角形スイッチ操作部２０Ａ，２０Ｂの開口側に接続した接続端部３５Ａ，３５Ｂ及び接続端部３５Ａ，３５Ｂから略Ｕ字状に形成した横Ｕ字部３４Ａ，３４Ｂ、並びに横Ｕ字部３２Ａ，３２Ｂと横Ｕ字部３４Ａ，３４Ｂとを接続する相互干渉部３３Ａ，３３Ｂによって構成されている。
なお、相互干渉部３３Ａ，３３Ｂは、弾性連結する相互接続部３０Ａ，３０Ｂの略中央に形成したスイッチ操作部１０Ａ，１０Ｂと角形スイッチ操作部２０Ａ，２０Ｂとの相互間を結ぶ直線方向に対して直角方向の移動を自在としている。
【００５１】
丸形スイッチ操作部１０Ａ，１０Ｂと角形スイッチ操作部２０Ａ，２０Ｂとの間を弾性連結する相互接続部３０Ａ，３０Ｂは、丸形スイッチ操作部１０Ａ，１０Ｂと角形スイッチ操作部２０Ａ，２０Ｂとの中心を結ぶ直線の方向の動きを干渉する機能を有している。また、丸形スイッチ操作部１０Ａ，１０Ｂの押圧力によって、その丸形スイッチ操作部１０Ａ，１０Ｂの押圧力に並行する変位が横Ｕ字部３２Ａ，３２Ｂ及び相互干渉部３３Ａ，３３Ｂ及び横Ｕ字部３４Ａ，３４Ｂに加わる。しかし、その変位は横Ｕ字部３２Ａ，３２Ｂ及び相互干渉部３３Ａ，３３Ｂの弾性変化となり、横Ｕ字部３４Ａ，３４Ｂにはその変位が殆ど現れない。即ち、相互干渉部３３Ａ，３３Ｂは、略Ｕ字状に形成し、その開口端部を横Ｕ字部３２Ａ，３２Ｂと横Ｕ字部３４Ａ，３４Ｂに接続しているから、当該略Ｕ字状の開口端部による吸収によって、丸形スイッチ操作部１０Ａ，１０Ｂの変位は横Ｕ字部３２Ａ，３２Ｂ及び相互干渉部３３Ａ，３３Ｂの弾性変化となり、横Ｕ字部３４Ａ，３４Ｂにはその変位が殆ど現れない。
【００５２】
また、角形スイッチ操作部２０Ａ，２０Ｂはトグルスイッチの機能を有するように構成しており、角形スイッチ操作部２０Ａ，２０Ｂの図１の左端または右端を押圧することにより、その背後に配設された押釦スイッチを押圧し、何れか側の押釦スイッチをオンまたはオフさせるものである。このとき、接続端部３５Ａ，３５Ｂには角形スイッチ操作部２０Ａ，２０Ｂの回動力が伝わるが、角形スイッチ操作部２０Ａ，２０Ｂの変位は横Ｕ字部３４Ａ，３４Ｂ及び相互干渉部３３Ａ，３３Ｂの弾性変化となり、横Ｕ字部３２Ａ，３２Ｂにはその変位が殆ど現れない。
【００５３】
また、丸形スイッチ操作部１０Ａと角形スイッチ操作部２０Ａと、丸形スイッチ操作部１０Ｂと角形スイッチ操作部２０Ｂ相互間を接続する相互接続部３０Ａ，３０Ｂには、相互接続部３０Ａ，３０Ｂ相互間を弾性連結する連結部５０を具備する。図６の連結部５０は、略Ｕ字状に形成している。連結部５０は相互接続部３０Ａ，３０Ｂの連結を略Ｕ字状にした開口端部で行っている。
【００５４】
したがって、丸形スイッチ操作部１０Ａ，１０Ｂの押圧力によって、その丸形スイッチ操作部１０Ａ，１０Ｂの押圧力に並行する変位が横Ｕ字部３２Ａ，３２Ｂ及び相互干渉部３３Ａ，３３Ｂ及び相互接続部３０Ａ，３０Ｂ、横Ｕ字部３４Ａ，３４Ｂに加わる。しかし、その変位は横Ｕ字部３２Ａ，３２Ｂその中間から分岐した相互接続部３０Ａ，３０Ｂの弾性変化及び相互干渉部３３Ａ，３３Ｂの弾性変化となり、特に、横Ｕ字部３２Ａ，３２Ｂ及び相互干渉部３３Ａ，３３Ｂの弾性変化は、横Ｕ字部３２Ａ，３２Ｂの単独に比較して相互接続部３０Ａ，３０Ｂの弾性変化が加わることで２倍の負荷となり、横Ｕ字部３４Ａ，３４Ｂにはその変位が殆ど現れない。即ち、相互干渉部３３Ａ，３３Ｂは、略Ｕ字状に形成し、その開口端部を横Ｕ字部３２Ａ，３２Ｂと横Ｕ字部３４Ａ，３４Ｂに接続しているが、当該略Ｕ字状の開口端部による吸収によって、丸形スイッチ操作部１０Ａ，１０Ｂの変位は横Ｕ字部３２Ａ，３２Ｂ及び相互干渉部３３Ａ，３３Ｂの弾性変化及び相互接続部３０Ａ，３０Ｂの弾性変化となり、横Ｕ字部３４Ａ，３４Ｂにはその変位が殆ど現れない。
【００５５】
［実施の形態５］
本実施の形態５の一体成型してなる複合スイッチの操作機構を、図７に示す事例で説明する。
操作入力として押圧力を付与する２個の丸形スイッチ操作部１０Ａ，１０Ｂと、操作入力としてトグルスイッチとしての図１の左右の押圧力を付与する２個の角形スイッチ操作部２０Ａ，１０Ｂとで操作部分が形成されている。丸形スイッチ操作部１０Ａ，１０Ｂ及び角形スイッチ操作部２０Ａ，２０Ｂは、個々には実施の形態１と同様に形成されているので、その説明を省略する。
本実施の形態５と実施の形態４との相違点は、実施の形態４が横Ｕ字部３２Ａ，３２Ｂその中間から分岐した連結部５０の弾性変化を略Ｕ字状の開口端部による吸収によって行っているのを、実施の形態５は横Ｕ字部３２Ａ，３２Ｂの中間から分岐した連結部６０の弾性変化を略Ｓ字状の開口端部による吸収によって行っている。この略Ｓ字状の開口端部の連結部５０は、金型が開けることのできるような略Ｕ字状の反転繰り返しであればよく、蛇行させてジグザグに形成してもよい。
この実施の形態の連結部６０では、実施の形態４の連結部５０よりもストレスの伝達が少なくなり、機械的なスイッチ耐用動作回数を増加させることができる。
【００５６】
［実施の形態のまとめ］
ところで、上記実施の形態のスイッチ操作部は、丸形スイッチ操作部１０，１０ａ，１０ｂ，１０Ａ，１０Ｂ及び角形スイッチ操作部２０，２０ａ，２０ｂ，２０Ａ，２０Ｂの事例で説明したが、本発明を実施する場合には、丸形スイッチ操作部１０，１０ａ，１０ｂ，１０Ａ，１０Ｂ及び角形スイッチ操作部２０，２０ａ，２０ｂ，２０Ａ，２０Ｂに限定されるものではなく、その形状は格別本発明の実施を限定するものではなく、任意の計上とすることができる。
【００５７】
このように、本実施の形態の一体成型してなる複合スイッチの操作機構は、合成樹脂によって一体に成型されている。特に、操作入力として押圧力を付与する力の方向または押圧力を付与する位置が異なる回動及び／または往復動する２個以上の、例えば、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部と、回動及び／または往復動する、例えば、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間を略Ｓ字状に合成樹脂の弾性で連結する相互接続部３０，３０Ａ，３０Ｂと、相互接続部３０，３０Ａ，３０Ｂの略中央に形成した、例えば、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間を結ぶ直線方向に対して直角方向の移動を自在とした相互干渉部３３を具備する構成であるから、その成型金型にスライドコア等を使用することなく成型でき、成型コストを廉価にすることができる。
【００５８】
また、回動及び／または往復動する、例えば、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間を略Ｓ字状に弾性連結する相互接続部３０，３０Ａ，３０Ｂは、主に、例えば、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間方向の変位を許容し、また、相互接続部３０，３０Ａ，３０Ｂの略中央に形成した、例えば、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間を結ぶ相互干渉部３３は、例えば、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間方向に対して直線方向の変位を自在としたものであるから、押圧力を付与する力の方向または押圧力を付与する位置が異なる回動及び／または往復動する２個以上の例えば、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部からスイッチの操作入力を行ったとき、対象の押圧部１２，１２ａ，１２ｂ，１２Ａ，１２Ｂまたは押圧部２２，２２ａ，２２ｂ，２２Ａ，２２Ｂに接続されたスイッチのみの動作を行わせることができる。したがって、操作入力方向または入力位置が異なる複合スイッチを一体に成型可能な複合スイッチの操作機構とすることができる。
【００５９】
上記実施の形態の一体成型してなる複合スイッチの操作機構は、更に、回動及び／または往復動する丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の押圧部１２，１２ａ，１２ｂ，１２Ａ，１２Ｂ及び押圧部２２，２２ａ，２２ｂ，２２Ａ，２２Ｂの一部を露出する意匠パネル４０を具備するものであるから、意匠パネル４０と対にして一体成型してなる複合スイッチの操作機構を組み付けることにより、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部からスイッチ機構の操作入力の機械的エネルギの伝達の調整設定を容易に行うことができる。
なお、上記実施の形態の一体成型してなる複合スイッチの操作機構は、意匠パネル４０側に取り付けることも、本体のケース側に設けることもできるが、スイッチ機構との接合のために、組み付け易い回動及び／または往復動する丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の一部を露出する意匠パネル４０側に配設するものが好ましい。
【００６０】
上記実施の形態の一体成型してなる複合スイッチの操作機構は、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の周囲に、往復動を許容する複数のリブ１１を形成したものであるから、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の周囲のリブ１１，１１ａ，１１ｂ，１１Ａ，１１Ｂが往復動のみを許容することから、意匠パネル４０または本体のケース側との間で、往復動のみを規制でき、他の構造を使用することなく、複合スイッチの操作機構を構成できる。
特に、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の周囲の複数のリブ１１，１１ａ，１１ｂ，１１Ａ，１１Ｂは、往復動を許容するものでよく、意匠パネル４０または本体のケース側との間で、往復動のみが可能な結合関係がある手段であればよい。
【００６１】
上記実施の形態の一体成型してなる複合スイッチの操作機構の丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の周囲には、回動を許容する回動軸２１，２１ａ，２１ｂ，２１Ａ，２１Ｂを形成したものであるから、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の周囲の回動軸２１，２１ａ，２１ｂ，２１Ａ，２１Ｂが回動のみを許容することから、意匠パネル４０または本体のケース側との間で、回動のみを規制でき、他の構造を使用することなく、複合スイッチの操作機構を構成できる。
また、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の周囲の回動軸２１，２１ａ，２１ｂ，２１Ａ，２１Ｂは、回動を許容するものであればよいことから、意匠パネル４０または本体のケース側との軸受４３，４３Ａ，４３Ｂで、回動のみが可能な結合関係がある手段であればよい。
【００６２】
上記実施の形態の一体成型してなる複合スイッチの操作機構の丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部は、その周囲に、意匠パネル４０の裏面４５で規制する往復動を許容する複数のリブ１１，１１ａ，１１ｂ，１１Ａ，１１Ｂを形成したものであるから、意匠パネル４０と丸形スイッチ操作部１０，１０ａ，１０ｂ，１０Ａ，１０Ｂ及び／または角形スイッチ操作部２０，２０ａ，２０ｂ，２０Ａ，２０Ｂからなる複合スイッチの操作機構との対が組み立てられ、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部からスイッチ機構の操作入力の機械的エネルギの伝達の調整を容易に行うことができる。特に、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の周囲の複数のリブ１１，１１ａ，１１ｂ，１１Ａ，１１Ｂは、往復動を許容するものでよいことから、意匠パネル４０側との間で、往復動のみが可能な結合関係が維持できる構造であればよい。
【００６３】
上記実施の形態の一体成型してなる複合スイッチの操作機構の丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部は、その周囲に、意匠パネル４０の裏面４５で規制する回動を許容する回動軸２１，２１ａ，２１ｂ，２１Ａ，２１Ｂを形成したものであるから、意匠パネル４０と丸形スイッチ操作部１０，１０ａ，１０ｂ，１０Ａ，１０Ｂ及び／または角形スイッチ操作部２０，２０ａ，２０ｂ，２０Ａ，２０Ｂからなる複合スイッチの操作機構との対が組み立てられ、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部からスイッチ機構の操作入力の機械的エネルギの伝達の調整を容易に行うことができる。
なお、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の周囲の回動軸２１，２１ａ，２１ｂ，２１Ａ，２１Ｂは、回動を許容するものでよいことから、意匠パネル４０側との軸支受４３，４３Ａ，４３Ｂ間で、回動のみが可能な結合関係が維持できる構造であればよい。
【００６４】
上記実施の形態の一体成型してなる複合スイッチの操作機構の丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部は、更に、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間を接続する相互接続部３０，３０Ａ，３０Ｂに、相互接続部３０，３０Ａ，３０Ｂの相互間を弾性連結する連結部５０，６０を具備するものであるから、操作入力として押圧力を付与する力の方向または押圧力を付与する位置が異なる回動及び／または往復動する丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部を必要に応じて任意数形成することができる。
なお、前記連結部５０，６０は、相互接続部３０，３０Ａ，３０Ｂの相互間を弾性連結するものであり、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部の相互間に三次元的な変化が伝達されない構造であればよい。
【００６５】
上記実施の形態の一体成型してなる複合スイッチの操作機構の相互接続部３０，３０Ａ，３０Ｂに形成した相互干渉部３３，３３Ａ，３３Ｂは、略Ｕ字形または略Ｓ字形としたものであるから、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間を弾性連結し、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間に歪を付与することなく、弾性変形でき、長寿命とすることができる。
なお、相互干渉部３３，３３Ａ，３３Ｂは、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間を弾性連結するものであり、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間に、丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部相互間を結ぶ直線方向に対して、少なくとも、直角方向の移動を自在とするものであればよい。勿論、好ましくは、三次元的な変化が伝達されないものがよい。
【００６６】
上記実施の形態の一体成型してなる複合スイッチの操作機構の丸形スイッチ操作部１０，１０ａ，１０ｂ，１０Ａ，１０Ｂ及び／または角形スイッチ操作部２０，２０ａ，２０ｂ，２０Ａ，２０Ｂからなるスイッチ操作部は、各スイッチ操作部の中心を、少なくとも単一の直線上に配置したものであるから、１列または複数列に整然と配列させて設置することができる。なお、各スイッチ操作部の中心を少なくとも単一の直線上に配置したものは、１列または複数列形成できればよい。
【００６７】
ところで、上記実施の形態の相互接続部３０は、スイッチ操作部の開口側に接続した接続端部３１及び接続端部３１から略Ｕ字状に形成した横Ｕ字部３２、同様に、スイッチ操作部の開口側に接続した接続端部３５及び接続端部３５から略Ｕ字状に形成した横Ｕ字部３４、並びに横Ｕ字部３２と横Ｕ字部３４とを接続する相互干渉部３３によって構成されている。このスイッチ操作部と相互接続部３０の接続、相互接続部３０間の連結部５０，６０との接続には、機械的強度が急変しないように、ストレスが特定の箇所に集中しないように、滑らかな結合を行う必要がある。
即ち、上記実施の形態では均一な幅及び厚みで、相互接続部３０、連結部５０，６０を形成しているが、実施物においては、機械的強度が急変しないように、ストレスが特定の箇所に集中しないように、滑らかな結合を行うように、幅、厚みの処理を行う必要がある。
【符号の説明】
【００６８】
１０，１０ａ，１０ｂ，１０Ａ，１０Ｂ      丸形スイッチ操作部
１１，１１ａ，１１ｂ，１１Ａ，１１Ｂ      リブ
１２，１２ａ，１２ｂ，１２Ａ，１２Ｂ      押圧部
２０，２０ａ，２０ｂ，２０Ａ，２０Ｂ      角形スイッチ操作部
２１，２１ａ，２１ｂ，２１Ａ，２１Ｂ      回動軸
２２，２２ａ，２２ｂ，２２Ａ，２２Ｂ      押圧部
３０，３０Ａ，３０Ｂ      相互接続部
３２，３４      横Ｕ字部
３３      相互干渉部
４０      意匠パネル
４３，４３Ａ，４３Ｂ      軸受
５０，６０      連結部
【図１】
2011049057.tif 000003
【図２】
2011049057.tif 000004
【図３】
2011049057.tif 000005
【図４】
2011049057.tif 000006
【図５】
2011049057.tif 000007
【図６】
2011049057.tif 000008
【図７】
2011049057.tif 000009